(57)【要約】      （修正有）【課題】玉箱内のパチンコ玉を手で掴むことなく容易に皿体に戻すことができるようにすると共に、遊技者の不注意で玉箱内のパチンコ玉が流出してしまうというトラブルを防止する玉箱を提供する。【解決手段】玉箱は、パチンコ玉Ｐを貯留する貯留部と、貯留部の側壁部４に形成される玉抜き用開口部５と、玉抜き用開口部５を開閉するスライド式の開閉部材６と、開閉部材６から貯留部内に突出する開放規制部７とを備え、玉箱が設置面上に設置されているときは、開閉部材６の下端部が設置面に当接することにより、開閉部材６の開方向のスライドを規制し、玉箱が持ち上げられ、かつ、貯留部の玉抜き用開口部５側にパチンコ玉Ｐが存在するときは、開放規制部７が貯留部のパチンコ玉Ｐに係合することにより、開閉部材６の開方向のスライドを規制する。【選択図】図７
0003142244.tif 000002
【実用新案登録請求の範囲】
【請求項１】
遊技機の近傍に確保される設置面上に取替可能に設置され、遊技機の皿体から零れたパチンコ玉を貯留する玉箱であって、
パチンコ玉を貯留する貯留部と、
貯留部の側壁部に形成される玉抜き用開口部と、
玉抜き用開口部を開閉するスライド式の開閉部材と、
開閉部材から貯留部内に突出する開放規制部とを備え、
玉箱が設置面上に設置されているときは、開閉部材の下端部が設置面に当接することにより、開閉部材の開方向のスライドを規制し、
玉箱が持ち上げられ、かつ、貯留部の玉抜き用開口部側にパチンコ玉が存在するときは、開放規制部が貯留部のパチンコ玉に係合することにより、開閉部材の開方向のスライドを規制し、
玉箱が持ち上げられ、かつ、貯留部の玉抜き用開口部側にパチンコ玉が存在しないときは、開閉部材の開方向のスライドを許容することを特徴とする玉箱。
【請求項２】
前記開閉部材は、バネで開方向に付勢されていることを特徴とする請求項１記載の玉箱。
【請求項３】
前記貯留部の底面部は、パチンコ玉を玉抜き用開口部へ導く傾斜面を有することを特徴とする請求項１又は２記載の玉箱。
【考案の詳細な説明】
【技術分野】
【０００１】
本考案は、遊技機の近傍に確保される設置面上に取替可能に設置され、遊技機の皿体から零れたパチンコ玉を貯留する玉箱に関する。
【背景技術】
【０００２】
近年、遊技機（パチンコ玉を用いて遊技されるパチンコ機、パチスロ機など）の近傍に確保される設置面上に取替可能に設置され、遊技機の皿体から零れたパチンコ玉を貯留する玉箱について、遊技者やホール店員の要望に応えた様々な玉箱が開発されている。例えば、玉箱に貯留されているパチンコ玉を玉計数機へ流入させる作業を容易に行いたいというホール店員や遊技者の要望に応えた発明が特許文献１に開示されている。また、玉箱に貯留されている残り僅かとなったパチンコ玉を遊技者が掴んで再度皿体に戻すという作業を容易にしたいという要望に応えた発明として、玉箱の底に窪み（玉溜り）を設け、残り僅かなパチンコ玉をその窪みに集積し、遊技者がパチンコ玉を掴み易くする技術が特許文献２に開示されている。
【特許文献１】特許第２８７８６４７号公報
【特許文献２】特開２００４−３３７２０６号公報
【考案の開示】
【考案が解決しようとする課題】
【０００３】
しかしながら、特許文献２に開示されている技術は、遊技者の手の大きさによっては複数回に分けてパチンコ玉を掴んで皿体に戻すという作業をしなければならず、前記要望に必ずしも応えられたものとなっていない。また、特許文献１に開示された技術は、玉計数機に設けられた冶具を用いて玉箱の底の一部を開口し、その開口からパチンコ玉を流下させるものであり、流下先を玉計数機から遊技機の皿体に変更すれば、遊技者がパチンコ玉を掴まずに皿体に戻すことが可能となるが、特許文献１の技術を単純に適用すると、遊技者の不注意で玉抜き用開口部が開き、玉箱内のパチンコ玉が流出してしまうというトラブルの発生が懸念される。
【課題を解決するための手段】
【０００４】
本考案は、上記の如き実情に鑑みこれらの課題を解決することを目的として創作されたものであって、遊技機の近傍に確保される設置面上に取替可能に設置され、遊技機の皿体から零れたパチンコ玉を貯留する玉箱であって、パチンコ玉を貯留する貯留部と、貯留部の側壁部に形成される玉抜き用開口部と、玉抜き用開口部を開閉するスライド式の開閉部材と、開閉部材から貯留部内に突出する開放規制部とを備え、玉箱が設置面上に設置されているときは、開閉部材の下端部が設置面に当接することにより、開閉部材の開方向のスライドを規制し、玉箱が持ち上げられ、かつ、貯留部の玉抜き用開口部側にパチンコ玉が存在するときは、開放規制部が貯留部のパチンコ玉に係合することにより、開閉部材の開方向のスライドを規制し、玉箱が持ち上げられ、かつ、貯留部の玉抜き用開口部側にパチンコ玉が存在しないときは、開閉部材の開方向のスライドを許容することを特徴とする。このようにすると、玉箱に貯留されている残り僅かとなったパチンコ玉を遊技機の皿体に戻すにあたり、玉箱を皿体の上方位置まで持ち上げ、玉抜き用開口部を開放すれば、玉箱内のパチンコ玉を手で掴むことなく容易に皿体に戻すことができる。しかも、玉箱が設置状態のときは、設置面との当接によって開閉部材が閉状態に維持されるので、遊技者の不注意で玉抜き用開口部が開き、玉箱内のパチンコ玉が流出してしまうというトラブルも防止することができる。また、所定量以上のパチンコ玉が貯留された玉箱においては、持ち上げ状態であっても、開放規制部が開閉部材を確実に閉状態に維持するので、不注意による玉抜き用開口部の開放を防止することができる。
また、前記開閉部材は、バネで開方向に付勢されていることを特徴とする。このようにすると、玉箱に貯留されている残り僅かとなったパチンコ玉を遊技機の皿体に戻すにあたり、玉箱を持ち上げ、開放規制部とパチンコ玉の係合が解除された時点で、開閉部材をバネの付勢力で自動的に開放動作させることができるので、別途開放操作を行う場合に比べ、パチンコ玉の戻し作業が容易になる。
また、前記貯留部の底面部は、パチンコ玉を玉抜き用開口部へ導く傾斜面を有することを特徴とする。このようにすると、玉抜き用開口部が閉じた状態では、底面部の傾斜によってパチンコ玉を開放規制部に積極的に係合させ、開閉部材を確実に閉じ状態に維持することができ、また、玉抜き用開口部が開いた状態では、底面部の傾斜によって残り少ないパチンコ玉を確実に玉抜き用開口部から排出させることができる。
【考案の効果】
【０００５】
以上のような本考案によれば、玉箱に貯留されている残り僅かとなったパチンコ玉を遊技機の皿体に戻すにあたり、玉箱を皿体の上方位置まで持ち上げ、玉抜き用開口部を開放すれば、玉箱内のパチンコ玉を手で掴むことなく容易に皿体に戻すことができる。しかも、玉箱が設置状態のときは、設置面との当接によって開閉部材が閉状態に維持されるので、遊技者の不注意で玉抜き用開口部が開き、玉箱内のパチンコ玉が流出してしまうというトラブルも防止することができる。また、所定量以上のパチンコ玉が貯留された玉箱においては、持ち上げ状態であっても、開放規制部が開閉部材を確実に閉状態に維持するので、不注意による玉抜き用開口部の開放を防止することができる。
【考案を実施するための最良の形態】
【０００６】
次に、本考案の実施の形態について、図面に基づいて説明する。図１〜図４において、１は玉箱であって、該玉箱１は、遊技機（パチンコ玉を用いて遊技されるパチンコ機、パチスロ機など）の近傍に確保される設置面Ｓ上に取替可能に設置され、遊技機の皿体から零れたパチンコ玉Ｐを貯留するように構成される。
【０００７】
本実施形態の玉箱１は、透明又は半透明の樹脂材により形成されており、持ち運び用の把手部２と、パチンコ玉Ｐを貯留する貯留部３と、貯留部３の側壁部４に形成される玉抜き用開口部５と、玉抜き用開口部５を開閉するスライド式の開閉部材６と、開閉部材６から貯留部３内に突出する開放規制部７とを備える。
【０００８】
玉抜き用開口部５は、玉箱１に貯留されている残り僅かとなったパチンコ玉Ｐを遊技者が再度遊技機の皿体に戻すという作業を容易にしたいという要望に応えるためのものである。側壁部４における玉抜き用開口部５の形成位置は任意であるが、隣接する側壁部４間にわたる角部領域の下端部であることが好ましい。このようにすると、玉箱１に貯留されている残り僅かとなったパチンコ玉Ｐを玉抜き用開口部５に容易に導くことが可能になる。尚、本明細書でいう側壁部４は、玉箱１の左右側面を形成する壁部のみを示すものではなく、玉箱１の正面や背面を形成する壁部も含むものとする。
【０００９】
図４〜図７に示すように、開閉部材６は、例えば、樹脂からなる平面視Ｌ字状の板部材であって、両側縁部が一対のスライドガイド８でスライド自在に支持されており、側壁部４に沿って上下方向にスライドさせることにより、玉抜き用開口部５が開閉される。このようにすると、玉箱１に貯留されている残り僅かとなったパチンコ玉Ｐを遊技機の皿体に戻すにあたり、玉箱１を皿体の上方位置まで持ち上げ、玉抜き用開口部５を開放すれば、玉箱１内のパチンコ玉Ｐを手で掴むことなく容易に皿体に戻すことが可能になる。
【００１０】
開閉部材６は、玉箱１が設置面Ｓ上に設置されているとき、下端部が設置面Ｓに当接するように形成されている。例えば、開閉部材６の下端部に底板部９を設け、該底板部９を設置面Ｓに当接させる。このようにすると、玉箱１が設置状態のときは、設置面Ｓとの当接によって開閉部材６が閉状態に維持されるので、遊技者の不注意で玉抜き用開口部５が開き、玉箱１内のパチンコ玉が流出してしまうというトラブルを防止することができる。
【００１１】
開放規制部７は、所定量以上のパチンコ玉Ｐが貯留された状態で玉箱１が持ち上げられたとき、開閉部材６の開放を規制するために開閉部材６に設けられている。すなわち、玉箱１が持ち上げられ、かつ、貯留部３の玉抜き用開口部５側にパチンコ玉Ｐが存在するときは、開放規制部７が貯留部３のパチンコ玉Ｐに係合することにより、開閉部材６の開方向のスライドを規制し、また、玉箱１が持ち上げられ、かつ、貯留部３の玉抜き用開口部５側にパチンコ玉Ｐが存在しないときは、開閉部材６の開方向のスライドを許容するようになっている。このようにすると、所定量以上のパチンコ玉Ｐが貯留された玉箱１においては、持ち上げ状態であっても、開放規制部７が開閉部材６を確実に閉状態に維持するので、不注意による玉抜き用開口部５の開放を防止することができる。尚、本実施形態における上記の係合状態は、貯留部３の底面部１０と開放規制部７との間に対するパチンコ玉Ｐの挟み込み状態と言い換えることができる。
【００１２】
開閉部材６は、バネ１１で開方向に付勢されていることが好ましい。例えば、貯留部３の底面部１０と開閉部材６の底板部９との間に圧縮コイルバネを介設する。このようにすると、玉箱１に貯留されている残り僅かとなったパチンコ玉Ｐを遊技機の皿体に戻すにあたり、玉箱１を持ち上げ、開放規制部７とパチンコ玉Ｐの係合が解除された時点で、開閉部材６をバネ１１の付勢力で自動的に開放動作させることができるので、別途開放操作を行う場合に比べ、パチンコ玉Ｐの戻し作業が容易になる。
【００１３】
貯留部３の底面部１０は、パチンコ玉Ｐを玉抜き用開口部５へ導く傾斜面を有することが好ましい。このようにすると、玉抜き用開口部５が閉じた状態では、底面部１０の傾斜によってパチンコ玉Ｐを開放規制部７に積極的に係合させ、開閉部材６を確実に閉じ状態に維持することができ、また、玉抜き用開口部５が開いた状態では、底面部１０の傾斜によって残り少ないパチンコ玉Ｐを確実に玉抜き用開口部５から排出させることができる。
【００１４】
叙述の如く構成された本実施形態によれば、遊技機の近傍に確保される設置面Ｓ上に取替可能に設置され、遊技機の皿体から零れたパチンコ玉Ｐを貯留する玉箱１であって、パチンコ玉Ｐを貯留する貯留部３と、貯留部３の側壁部４に形成される玉抜き用開口部５と、玉抜き用開口部５を開閉するスライド式の開閉部材６と、開閉部材６から貯留部３内に突出する開放規制部７とを備え、玉箱１が設置面Ｓ上に設置されているときは、開閉部材６の下端部が設置面Ｓに当接することにより、開閉部材６の開方向のスライドを規制し、玉箱１が持ち上げられ、かつ、貯留部３の玉抜き用開口部５側にパチンコ玉Ｐが存在するときは、開放規制部７が貯留部３のパチンコ玉Ｐに係合することにより、開閉部材６の開方向のスライドを規制し、玉箱１が持ち上げられ、かつ、貯留部３の玉抜き用開口部５側にパチンコ玉Ｐが存在しないときは、開閉部材６の開方向のスライドを許容するので、玉箱１に貯留されている残り僅かとなったパチンコ玉Ｐを遊技機の皿体に戻すにあたり、玉箱１を皿体の上方位置まで持ち上げ、玉抜き用開口部５を開放すれば、玉箱１内のパチンコ玉Ｐを手で掴むことなく容易に皿体に戻すことができる。しかも、玉箱１が設置状態のときは、設置面Ｓとの当接によって開閉部材６が閉状態に維持されるので、遊技者の不注意で玉抜き用開口部５が開き、玉箱１内のパチンコ玉Ｐが流出してしまうというトラブルも防止することができる。また、所定量以上のパチンコ玉Ｐが貯留された玉箱１においては、持ち上げ状態であっても、開放規制部７が開閉部材６を確実に閉状態に維持するので、不注意による玉抜き用開口部５の開放を防止することができる。
【００１５】
また、開閉部材６は、バネ１１で開方向に付勢されているので、玉箱１に貯留されている残り僅かとなったパチンコ玉Ｐを遊技機の皿体に戻すにあたり、玉箱１を持ち上げ、開放規制部７とパチンコ玉Ｐの係合が解除された時点で、開閉部材６をバネ１１の付勢力で自動的に開放動作させることができ、その結果、別途開放操作を行う場合に比べ、パチンコ玉Ｐの戻し作業が容易になる。
【００１６】
また、貯留部３の底面部１０は、パチンコ玉Ｐを玉抜き用開口部５へ導く傾斜面を有するので、玉抜き用開口部５が閉じた状態では、底面部１０の傾斜によってパチンコ玉Ｐを開放規制部７に積極的に係合させ、開閉部材６を確実に閉じ状態に維持することができ、また、玉抜き用開口部５が開いた状態では、底面部１０の傾斜によって残り少ないパチンコ玉Ｐを確実に玉抜き用開口部５から排出させることができる。
【図面の簡単な説明】
【００１７】
【図１】玉箱の正面図である。
【図２】玉箱の側面図である。
【図３】玉箱の平面図である。
【図４】玉箱の斜視図である。
【図５】玉抜き用開口部を示すＸ−Ｘ断面図である。
【図６】玉抜き用開口部が閉じた状態を示すＹ−Ｙ断面図である。
【図７】玉抜き用開口部が開いた状態を示すＹ−Ｙ断面図である。
【符号の説明】
【００１８】
１    玉箱
２    把手部
３    貯留部
４    側壁部
５    玉抜き用開口部
６    開閉部材
７    開放規制部
８    スライドガイド
９    底板部
１０  底面部
１１  バネ
Ｐ    パチンコ玉
Ｓ    設置面
【図１】
0003142244.tif 000003
【図２】
0003142244.tif 000004
【図３】
0003142244.tif 000005
【図４】
0003142244.tif 000006
【図５】
0003142244.tif 000007
【図６】
0003142244.tif 000008
【図７】
0003142244.tif 000009